(57)【要約】【課題】圧力損失が小さく、かつ短時間で亜塩素酸イオンを効率よく除去できるイオン交換装置を提供する。【解決手段】ポリプロピレンを芯材としたエチレンビニルアルコール共重合体芯鞘繊維を用いたバインダー繊維と、強塩基性のＣｌ型アニオン交換繊維とを湿式抄造して、Ｃｌ型アニオン交換繊維を２０〜９５重量％、バインダー繊維を５〜８０重量％含有させたシートを作製し、このシートを加熱して繊維同士を固着させて、イオン交換繊維シートとする。また、上記イオン交換繊維シートをプリーツ構造またはハニカム構造、コルゲート構造などにエレメント化加工し、プール用水または浴場用水などの二酸化塩素殺菌水を平行流方式でこのイオン交換繊維シートに接触させる二酸化塩素殺菌水の処理方法。【特許請求の範囲】
【請求項１】
Ｃｌ型アニオン交換繊維と、バインダー繊維とを湿式抄造してシート化し、加熱して繊維同士を固着させたことを特徴とする二酸化塩素殺菌水処理用イオン交換繊維シート。
【請求項２】
前記Ｃｌ型アニオン交換繊維のイオン交換容量は、１．０〜３．５ｍ当量／ｍＬであることを特徴とする請求項１に記載の二酸化塩素殺菌水処理用イオン交換繊維シート。
【請求項３】
前記Ｃｌ型アニオン交換繊維を２０〜９５重量％、前記バインダー繊維を５〜８０重量％含有することを特徴とする請求項１または２に記載の二酸化塩素殺菌水処理用イオン交換繊維シート。
【請求項４】
前記バインダー繊維は、ポリプロピレンを芯材としたエチレンビニルアルコール共重合体芯鞘繊維であることを特徴とする請求項１〜３のいずれかに記載の二酸化塩素殺菌水処理用イオン交換繊維シート。
【請求項５】
前記イオン交換繊維シートは、エレメント化加工され、被処理水を上記イオン交換繊維シートに対して平行な流れで接触させて、イオン交換処理することを特徴とする二酸化塩素殺菌水の処理方法。
【請求項６】
前記二酸化塩素殺菌水はプール用水または浴場用水であることを特徴とする請求項５に記載の二酸化塩素殺菌水の処理方法。
【発明の詳細な説明】
【０００１】
【発明の属する技術分野】
本発明は、二酸化塩素を用いた殺菌消毒において生成する亜塩素酸イオンの捕集効率に優れ、特に、プール用水や浴場用水の処理に用いて好適なイオン交換繊維シートおよびそれを使用した二酸化塩素殺菌水の処理方法に関する。
【０００２】
【従来の技術】
国民の健康志向に伴い、プールの利用形態・利用目的が多様化し、小児から高齢者まで幅広い年齢層で利用されるようになり、より快適かつ衛生的なプール施設の確保が必要との見地から、「遊泳用プールの衛生基準」が平成１３年７月２７日付で改正となった。
【０００３】
この基準によると、水質基準として濁度、大腸菌群数、一般細菌、総トリハロメタン、遊離残留塩素濃度が基準値として決められている。プール水の管理において、遊離残留塩素濃度が０．４ｍｇ／Ｌを下回った場合は、遊泳を一時中止し、塩素剤を追加するなどにより遊離残留塩素濃度を０．４ｍｇ／Ｌ以上としてから遊泳を再開できる。大腸菌群が検出された場合は、速やかに遊離残留塩素濃度を測定し、濃度が０．４ｍｇ／Ｌを下回った場合は上記の措置を取る。
【０００４】
以上のような基準において、我が国では、水の殺菌は塩素ガスまたは次亜塩素酸ナトリウムによる塩素殺菌が主流である。この方式によると、有機物の多い水では殺菌の過程で環境ホルモン要因のトリハロメタンを生成し、ひいては猛毒のダイオキシンの発生原因になる。特に、プール水での殺菌消毒には塩素を注入して殺菌を行っているが、プール水中には人の汗などの有機物が蓄積し易いため、これらの有機物と反応して、発癌性のトリハロメタン類やハロアセトニトリル類、ハロ酢酸類の生成率が高い。また、塩素は水中のほとんどの有機物やアンモニアなどと反応するので、有機物に消費される量とクロラミン生成に消費される量を考慮して多めに塩素を投入しなければならない。このように副反応に要する塩素消費量が多いため、殺菌効果の確保を重視するあまり、往々にして過剰に使用する傾向がある。その結果、肌荒れ・炎症を起こしたり、頭髪を脱色するばかりでなく、目や喉に対して刺激を与えて障害を起こすことがあり、より安全性の高い殺菌・消毒システムが求められている。
【０００５】
そのため、塩素殺菌に代わる殺菌法として、二酸化塩素を用いる方法が考えられている。二酸化塩素は、亜塩素酸ナトリウムと塩酸またはクエン酸などから生成される気体である。この二酸化塩素の分解時に生成する酸素、すなわち活性酸素を利用した酸化殺菌を行う。酸素は発生時には酸素原子の状態で存在し、この酸素原子の酸化力は酸素分子の時とは比較にならないほど強力であり、これを殺菌に利用する。
【０００６】
有機物を多く含んだ水の塩素殺菌ではトリハロメタンなどが同時に生成されるが、二酸化塩素殺菌ではこれをほとんど生成しない。また、二酸化塩素殺菌は塩素殺菌より殺菌力が２．６倍強く、大腸菌やコレラ菌、Ｏ−１５７のほか、ＭＲＳＡ（メチシリン耐性黄色ブドウ球菌）やＶＲＥ（バンコマイシン耐性腸球菌）などに対しても有効であり、また反応が速い。水道水での除鉄・除マンガン処理では、塩素に比べて約３倍の反応速度がある。つまりプロセスに注入してからの反応時間が塩素の３分の１で処理できる。さらに、ｐＨ値に左右されないので、幅広いｐＨ値の中で安定した殺菌効果を発揮する。このように優れた特性を備えた二酸化塩素殺菌は、アメリカ、ドイツ、イタリア、韓国ではすでに飲料水などへの殺菌方法として普及している。
【０００７】
以上のように二酸化塩素の効果として、トリハロメタンなどの有害物質をほとんど発生させない、塩素殺菌より殺菌力が強い、塩素より反応が速い等がある。二酸化塩素は気体であり、水中において２２℃で２．９ｇ／Ｌまで溶け、一部が加水分解して亜塩素酸と塩素酸になる。中性水溶液中では分離溶解定数は小さく、大部分は水溶性のガスとしてそのまま分離しない形で残っているが、亜塩素酸と塩素酸が、溶液を酸性化する水素イオンと亜塩素酸イオンと塩素酸イオンを遊離するため、二酸化塩素の分離溶解がますます促進され、また、二酸化塩素自体も、その強い酸化能力のため、電子を獲得して亜塩素酸イオンに変化する。この亜塩素酸イオンは酸化力が強く人体に悪影響を及ぼす場合があることから、これを除去する必要がある。
【０００８】
二酸化塩素と亜塩素酸イオンの生体への影響で最も問題となるのは酸化ストレスによる生体への影響である。呼吸器系を通して高濃度の酸化剤にさらされた場合、肺の上覆組織の内面に損害を与えることがあり、高濃度の液体を摂取した場合、これらの酸化剤は胃腸系、肝臓、腎臓、血液に悪影響を及ぼす可能性がある。例えば、大量のＣｌＯ２、ＣｌＯ２−にさらされた場合、赤血球細胞のヘモグロビンが酸化されてメトヘモグロビンを形成することがある。これが起こると、赤血球細胞は酸素を運搬できなくなり、また、赤血球細胞が脆くなり、その寿命も短くなる。赤血球の破壊が著しい場合は、溶血性貧血と同様の症状を呈する（例えば、非特許文献１参照。）。
【０００９】
これらの弊害を減らすために、二酸化塩素によるプール水の殺菌・消毒の際に発生する亜塩素酸イオンを除去して基準値以下にする方法として、イオン交換樹脂を用いる方法が考えられる。イオン交換樹脂による被処理水中のイオン性物質の除去・分離には、粒子状イオン交換樹脂を使用する方法が最も一般的である。この方法は、純水の製造にも使われており、二酸化塩素殺菌水中の亜塩素酸イオンを除去するのにも有効であると考えられる。
【００１０】
【非特許文献１】Ｔｈｅ  Ｃｈｌｏｒｉｎｅ  Ｄｉｏｘｉｄｅ  Ｐａｎｅｌ  ｏｆ  ｔｈｅ  Ｃｈｅｍｉｃａｌ  Ｍａｎｕｆａｃｔｕｒｅｒｓ  Ａｓｓｏｃｉａｔｉｏｎ編、「二酸化塩素と亜塩素酸イオンの化学、用途、毒性についての概要（Ａ  ｒｅｖｅｗ  ｏｆ  ｔｈｅ  Ｕｓｅｓ，  Ｃｈｅｍｉｓｔｒｙ  ａｎｄ  Ｈｅａｌｔｈ  Ｅｆｆｅｃｔｓ  ｏｆ  Ｃｈｌｏｒｉｎｅ  Ｄｉｏｘｉｄｅ  ａｎｄ  ｔｈｅ  Ｃｈｌｏｒｉｔｅ  Ｉｏｎ）」、（米国）、１９８９年４月、ｐ．１４
【００１１】
【発明が解決しようとする課題】
しかしながら、この粒子状イオン交換樹脂を充填した塔に被処理水を流す方法は、圧力損失が大きいために大流量を流すことができずに処理時間がかかり、処理能力が低いという問題がある。また、充填塔内を被処理水が上昇する方式を採用する場合には、流量を多くするとフラディング現象を起こし、被処理水中に混入した粒子を捕集し難くなるという問題も有している。したがって、処理能力を確保しようとすれば装置が大きくなる。しかしながら、本発明が対象としているプールや浴場が、都市部に立地する場合、その付帯設備はできるだけ設置面積及び容積が小さくコンパクトであることが望まれる。
よって、本発明は、圧力損失が小さく、かつ短時間で亜塩素酸イオンを効率よく除去できるコンパクトなイオン交換装置を提供することを目的としている。
【００１２】
【課題を解決するための手段】
本発明の二酸化塩素殺菌水処理用イオン交換繊維シートは、Ｃｌ型アニオン交換繊維と、バインダー繊維とを湿式抄造法によってシート化し、加熱して繊維同士を固着させたことを特徴としている。
【００１３】
本発明の二酸化塩素殺菌水処理用イオン交換繊維シートによれば、イオン交換繊維がバインダー繊維と固着していることにより強固にシート内に保持されているから、流量を多く流しても繊維がシートから脱離することはなく、粒子状イオン交換樹脂を使用しないのであるから、フラディング現象を起こすことはなく、処理能力の確保のために装置を大きくする必要がなくなる。
【００１４】
また、本発明の二酸化塩素殺菌水の処理方法は、イオン交換繊維シートをエレメント化加工し、被処理水をイオン交換繊維シートに対して平行な流れで接触させてイオン交換処理することを特徴としている。したがって、流量を多く流しても圧力損失は小さく、装置を大きくする必要はない。
【００１５】
従来の多孔質シートによる水処理方法によれば、被処理水がシートの延在している方向に直交して透過する直交流方式が一般的であるが、この方法によれば、被処理水がイオン交換繊維に接触する確率は高いという利点がある反面、圧力損失が大きく流量を多くできないという問題がある。本発明では、上記のようにイオン交換繊維シートをエレメント加工し、被処理水をシートの間隙の流通方向とほぼ平行に流すという平行流方式で被処理液とイオン交換シートを接触させるので、圧力損失が小さくなり、このような処理能力の向上により従来よりもコンパクトなイオン交換装置を提供することができる。
【００１６】
【発明の実施の形態】
本発明の好適な実施形態を、以下に説明する。
本発明の二酸化塩素殺菌水処理用イオン交換繊維シートを構成するイオン交換樹脂は、アニオンである亜塩素酸イオンを除去することを目的としていることから、アニオン交換基の導入された繊維を用いる。アニオン交換基には、ハロアルキル化物をトリメチルアミン等の第３級アミンで処理することによって得られる強塩基性アニオン交換基、及びイソプロピルアミン、ジエチルアミン、ピペラジン、モルホリン等の２級以下のアミンで処理することによって得られる弱塩基性アニオン交換基が挙げられる。弱塩基性アニオン交換基は、中性付近でのイオン交換の反応条件に制限があるなどの問題を有しており、本発明における処理性能の点で強塩基性アニオン交換基が望ましい。特に、本発明におけるイオン交換繊維は、被処理水中の亜塩素酸イオン（ＣｌＯ２−）を塩素イオン（Ｃｌ−）に交換する強塩基性のＣｌ型アニオン交換樹脂であり、使用後も適度な濃度の食塩水を用いて洗浄することで、吸着された亜塩素酸イオンを塩素イオンに置換し、再生が可能となっている。
【００１７】
本発明のＣｌ型アニオン交換繊維のイオン交換容量は、１．０〜３．５ｍ当量／ｍＬが好ましく、１．５〜３．０ｍ当量／ｍＬがより好ましい。１．０ｍ当量／ｍＬ未満ではイオン交換能力が不足し、３．５ｍ当量／ｍＬを越えるものは工業的生産が困難である。
【００１８】
Ｃｌ型アニオン交換繊維は、繊維長１〜１０ｍｍ、好ましくは３〜８ｍｍである。繊維長が１ｍｍより短いと、繊維シートからの脱離等の問題がある。また、１０ｍｍより長いと、繊維の分散が悪化し、凝集の発生等の問題がある。繊維の太さは５〜２０デニールが好ましい。本発明のＣｌ型アニオン交換繊維は叩解して使用することもできる。叩解をすると、フィブリル化により、表面積が増え、被処理水との接触面積が増えるので、イオン交換の効率が良くなる。また、シート強度が大きくなるので、Ｃｌ型アニオン交換繊維の配合量を増やすこともできる。
【００１９】
本発明のイオン交換繊維シートを構成するバインダー繊維は、熱融着性を有することが必要であるが、１４０℃以下で融着することが好ましい。１４０℃を越えると、熱融着の際、イオン交換繊維のイオン交換基が分解して、イオン交換能力が低下してしまう。このようなバインダー繊維としては、ポリ−α−オレフィンが耐薬品性に優れているので好ましく、加工性やコスト等の面で特にポリプロピレン及びポリエチレンが好ましいが、これに限定されるものではない。本発明においては、ポリプロピレンを芯材としたエチレンビニルアルコール共重合体芯鞘繊維が特に好ましい。エチレンビニルアルコール共重合体は、湿熱下で溶融するので、乾燥工程で繊維間を接着することができ、かつ接着力にも優れる。
【００２０】
バインダー繊維の繊維長は、２〜１０ｍｍ、好ましくは３〜７ｍｍ、繊維の太さは１〜３デニール、好ましくは１．５〜２．５デニール程度である。本発明のバインダー繊維は叩解して使用することもできる。叩解すると、フィブリル化により、表面積が増え、シート強度が大きくなるので、バインダー繊維の配合量を減らすことができる。
【００２１】
本発明においては、Ｃｌ型アニオン交換繊維を２０〜９５重量％、バインダー繊維を５〜８０重量％の範囲で含有していることが望ましく、各々、３５〜８０重量％、２０〜６５重量％がより好ましい。バインダー繊維が少なすぎると機械的強度が弱くなり、逆に多すぎるとイオン交換容量や吸着性能が低下する。
本発明のイオン交換繊維シートにおいては、必要に応じて他の繊維や填料を使用しても良い。他の繊維として、木材繊維、非木材繊維、無機繊維、合成繊維、レーヨンなどが挙げられる。填料としては、カオリン、クレー、タルク、酸化チタンのような一般的なものがあるが、水酸化アルミニウム、ハイドロタルサイト、活性炭、アニオン交換樹脂微粒子のような亜塩素酸イオンを吸着する粒子を用いれば、イオン交換繊維シートのイオン交換能力を増大させることもできる。
【００２２】
本発明の湿式抄造法とは、イオン交換繊維とバインダー繊維を混合して水に分散し、ワイヤー等を用いて繊維層を形成し、ドライヤーで乾燥してシート化する方法である。必要に応じて、ワイヤー上でシェイキングを行い、シートの均一性を向上させることもある。次いで、イオン交換シートのバインダー繊維を熱溶融するために加熱する。加熱温度は通常は１０５〜１４０℃、好ましくは１１０〜１３０℃である。加熱温度が１４０℃を越えるとイオン交換繊維シートのイオン交換能力が低下する。１０５℃未満では、十分なシート強度が得られない。加熱は、乾燥過程で行うこともできる。
【００２３】
また、本発明のエレメント化加工の形態としては、プリーツ構造、ハニカム構造、コルゲート構造などが挙げられる。ここで、プリーツ構造とは、シートを波状に折り畳んで全体として筒状に形成し、シートの波状部分がなす間隙である小透孔が被処理液の流れる方向に入口から出口まで連通した構造であり、ハニカム構造とは、シートが六角柱をなしたものが多数積層され、被処理液の流れる方向に小透孔が入口から出口まで連通している構造をいう。また、コルゲート構造とは、波形シート（中芯）と平面上シート（ライナ）とを接着し、交互に積層された多数の小透孔を持つように形成された構造である。本発明では、上記構造に限ったものではなく、上記以外にも、格子構造、波形構造、円筒形構造等が適宜選択可能である。
【００２４】
さらに、本発明のイオン交換繊維シートは、平行流方式で被処理水を処理するということを特徴としている。多孔質シートを用いたフィルタ等の構造としては、通常、被処理水の流れとイオン交換繊維シートの延在方向が直交している直交流方式が一般的であり、この構造によると、被処理水がイオン交換繊維に接触する確率は高いという利点があるが、前述のように圧力損失が問題になる。本発明の平行流方式では、三次元構造体中の流路内壁面が被処理液の流れる方向とほぼ平行であって、かつ、流路の入口から出口までが連通した構造であるので、圧力損失の問題が解消される。したがって、従来の直交流方式と比較して処理能力が向上し、装置をコンパクトなものにすることができる。
【００２５】
以上のような特徴を具備することにより、本発明の二酸化塩素殺菌水処理用イオン交換繊維シートは、プールや公衆浴場等において二酸化塩素にて処理された後の被処理水から、有害な亜塩素酸イオンを効率よく除去することができる。また、亜塩素酸イオンの除去によって、二酸化塩素が亜塩素酸イオンに解離するのを抑制できるので、添加すべき二酸化塩素の量を最低限度に抑えることができるという利点をも有する。
【００２６】
【実施例】
下記の仮定のもとに実験を行った。なお、本発明はこれに限定されるものではない。
二酸化塩素を殺菌処理に使用する場合の使用濃度について、厚生省によるプールの二酸化塩素濃度の水質基準は０．１ｍｇ／Ｌ以上０．４ｍｇ／Ｌ以下であり、亜塩素酸イオン濃度は１．２ｍｇ／Ｌ以下にしなければならないと規定されている。例えば、２５ｍプール（２５ｍ×１．５ｍ×１２ｍ＝４５０ｍ３）で、１日に１００人泳いだとすると、０．１ｍｇ／Ｌ分の濃度の二酸化塩素が消費されるので、１日に補給すべき二酸化塩素は、４５ｇとなる。亜塩素酸イオンは二酸化塩素の６〜１０％発生するので、仮に１０％発生するとすれば１日に発生する亜塩素酸イオンは、４．５ｇである。イオン交換繊維シートの有効期間を少なくとも３０日とすると、亜塩素酸イオンの発生量は１３５ｇであるから、２当量である。１当量＝１０００ｍ当量で、イオン交換繊維のイオン交換容量を２ｍ当量／ｍＬとすれば、必要なイオン交換繊維の容積は、２×１０００ｍ当量／（２ｍ当量／ｍＬ）＝１０００ｍＬになる。イオン交換繊維の密度は１．３ｇ／ｍＬであるので、１．３ｋｇの繊維量で亜塩素酸イオンの除去が可能となる。他の陰イオンも存在することから、必要なイオン交換繊維はその５倍の６．５ｋｇとした。実験は４５０ｍ３のプールの代わりに、１／３０の１５ｍ３の水槽を用いることにした。したがって、必要なイオン交換繊維は、０．２２ｋｇである。
【００２７】
［実施例１］
Ｃｌ型アニオン交換繊維（ニチビ社製、商品名：ＩＥＦ−ＳＡ、繊維長５ｍｍ、１５デニール）８０重量部およびバインダーとしてポリプロピレンを芯材としたエチレンビニルアルコール共重合体芯鞘繊維（ダイワボウ社製、商品名：ＵＢＦ、繊維長５ｍｍ、２デニール）２０重量部を水に分散させて分散液を得た。この分散液を傾斜ワイヤーにて湿式抄造した。ついで１２５℃のヤンキードライヤーを通して乾燥と同時にバインダー繊維を熱溶融させ、坪量２００ｇ／ｍ２、シート密度０．２６ｇ／ｃｍ３、イオン交換繊維配合量８０重量％のイオン交換繊維シートを得た。
前述の基礎計算によると、１ヶ月に必要な樹脂量６．５ｋｇの３０分の１のイオン交換繊維必要量は０．２２ｋｇであるので、上記シートのイオン交換繊維配合量により換算して０．２８ｋｇであり、坪量２００ｇ／ｍ２より必要な面積は１．４ｍ２となる。処理効率を５０％とすれば、必要な面積は２．８ｍ２である。このシートをプリーツ加工し、有効面積２．８ｍ２となるよう円筒型塩ビ管に被処理水と平行流接触となる形で装填した。
次に、脱イオン水を用いて二酸化塩素濃度３．０ｍｇ／Ｌ（１ヶ月の必要量を想定して）に調製した被処理液１５ｍ３を水槽に準備し、被処理液を６サイクル（９０ｍ３）循環した。
なお、二酸化塩素はベロゾン二酸化塩素発生装置（プロミネントジャパン社）にて製造した。
【００２８】
［実施例２］
実施例１と同じＣｌ型アニオン交換繊維およびバインダー繊維をそれぞれ４０重量％、６０重量％配合して実施例１と同様にシートを作製し、坪量３００ｇ／ｍ２、シート密度０．３０ｇ／ｃｍ３のイオン交換繊維シートを得た。
実施例１と同様に、前述の基礎計算をもとに、１ヶ月のイオン交換繊維必要量０．２２ｋｇに対して実験を行った。イオン交換繊維の配合量が４０％であるので上記シートに換算して０．５５ｋｇであり、坪量３００ｇ／ｍ２から必要な面積は１．８ｍ２であり、処理効率を５０％として３．６ｍ２である。このシートをプリーツ加工し、有効面積３．６ｍ２となるよう円筒型塩ビ管に被処理液と平行流接触となる形で装填して、実施例１と同じ被処理液を流して同様の処理を実施した。
【００２９】
［比較例１］
粒状アニオン交換樹脂（三菱化学社製、商品名：ダイヤイオンＳＡ１０Ａ、１４〜１５メッシュ、イオン交換容量１．３ｍ当量／ｍＬ、見掛け密度６８５ｇ／Ｌ）を０．２２ｋｇ充填した塔カラムによる水処理を実施例１と同様に行った。
【００３０】
［比較例２］
比較例１の粒状アニオン交換樹脂を粉砕し、ＪＩＳ  Ｚ  ８８０１に定められたふるいで２００〜４００メッシュの粒子を採取した。この粒状アニオン交換樹脂０．２２ｋｇを充填したカラムによる水処理を実施例１と同様に行った。
【００３１】
［評価方法］
１．処理時間
「遊泳用プールの循環濾過装置の処理水量は１時間につきプール本体の水の容量に循環水量を加えた全容量の６分の１を処理する能力を有すること」との基準から、１サイクルの処理時間の基準を６時間とし、６サイクル３６時間未満を○、３６時間以上を×とした。
【００３２】
２．亜塩素酸イオンの濃度の測定
ジエチル−ｐ−フェニレンジアミン（ＤＰＤ）法で測定した。
なお、日本の水道水の亜塩素酸イオン濃度の施設基準は０．２ｍｇ／Ｌを基準にしている。
［結果］
上記実施例および比較例における測定結果を下記表１に示した。
【００３３】
【表１】
2004148234.tif 000002
【００３４】
６サイクル後の亜塩素酸イオン濃度は、いずれも定量下限値の０．０２ｍｇ／Ｌ以下であった。
しかしながら、処理時間は、粒状アニオン交換樹脂を使用した比較例１、２では３６時間を超えない流量で処理しようとするとフラディング現象が起こり流量を少なくせざるを得ず限界流量をやや下回る流量で処理した。したがって、粒状イオン交換樹脂を使用して基準時間内に処理するには、イオン交換シートを使用する場合に比べて大きな装置が必要となることが確認された。
【００３５】
【発明の効果】
以上説明したように、本発明は、Ｃｌ型アニオン交換繊維と、バインダー繊維とを湿式抄造してシート化し、加熱して繊維同士を固着させてイオン交換繊維シートとし、該イオン交換繊維シートが、プリーツ構造またはハニカム構造、コルゲート構造などにエレメント化加工されていることを特徴としており、また、被処理水をイオン交換繊維シートに平行流で接触させて、イオン交換処理することを特徴としているので、圧力損失が小さく、かつ短時間で亜塩素酸イオンを効率よく除去できるイオン交換装置を提供することができる。この発明により、人の健康に配慮した、より快適なプールや浴場のような体育・レジャー施設の提供を可能にすることができる。